(57)【特許請求の範囲】
【請求項１】
勾配屋根の上に設置される勾配屋根用雪止め装置であって、
長手方向が前記勾配屋根の傾斜方向と垂直になるように設置される長い平板を含み、当該平板の一方の主面で太陽光を受けるとき、当該太陽光で生じる熱を当該平板の他方の主面に伝えて当該他方の主面に接する積雪を融かす雪止め板と、
前記勾配屋根の表面に沿って接触する勾配屋根接触部と前記雪止め板を支える雪止め板支持部とを備えており、前記勾配屋根の傾斜角度に応じ、前記雪止め板に入射する太陽光の有効強度と積雪を堰き止める程度を示す前記雪止め板の実効高さとに基づいて当該勾配屋根接触部と当該雪止め板支持部とのなす角度が設定された２個以上の取付け金具と、
を備えることを特徴とする勾配屋根用雪止め装置。
【請求項２】
前記取付け金具が、軒先側から前記雪止め板を支えることを特徴とする請求項１に記載の勾配屋根用雪止め装置。
【請求項３】
前記勾配屋根の傾斜角度が所定の範囲に含まれる場合に前記雪止め板と前記勾配屋根の表面とがなす角度が所定の値となるように、前記取付け金具において前記勾配屋根接触部と前記雪止め板支持部とのなす角度が設定されていることを特徴とする請求項２に記載の勾配屋根用雪止め装置。
【請求項４】
前記勾配屋根が、横ハゼの一つが立てられた横葺き屋根であり、
前記雪止め板が、前記平板の一方の側部に、前記取付け金具の幅以上の間隔で設けられた２つの切込みの間の部分が折り曲げられた雪止め板ハゼ固定部を備え、
前記取付け金具が、前記勾配屋根接触部と前記雪止め板支持部との間に、前記雪止め板ハゼ固定部に対向して配置され、前記雪止め板ハゼ固定部とともに前記立てられた横ハゼを挟持する取付け金具ハゼ固定部を備え、
前記雪止め板支持部の上部と、前記雪止め板の平板とが固定される、
ことを特徴とする請求項１ないし３のいずれか１項に記載の勾配屋根用雪止め装置。
【請求項５】
前記勾配屋根が、折板屋根であり、
前記雪止め板が、前記平板の一方の側部に、前記板折屋根の形状に合致する凹凸を有し、
前記取付け金具の勾配屋根接触部が、前記板折屋根の表面に密着し、前記板折屋根に固定され、
前記取付け金具の雪止め板支持部が、前記雪止め板の平板に密着し、前記雪止め板に固定される、
ことを特徴とする請求項１ないし３のいずれか１項に記載の勾配屋根用雪止め装置。
【請求項６】
前記勾配屋根が、縦葺き屋根であり、
前記雪止め板が、前記平板の一方の側部に、前記縦葺き屋根の立てハゼが嵌め込まれる複数の凹部を有し、
前記取付け金具の勾配屋根接触部が、重ねられた２枚の帯状の平鋼板の主要部で構成されており、当該２枚の平鋼板の主要部で前記縦葺き屋根の立てハゼを挟持し、
前記取付け金具の雪止め板支持部が、前記平鋼板の一方の側部に設けられた複数の切込みの中から選択された１つの切込みと前記平鋼板の他方の側部に設けられた複数の切込みの中から選択されたもう１つの切込みとを結ぶ線に沿って前記勾配屋根接触部の左側と右側に折り曲げられた前記各平鋼板の一部によって構成されており、当該左側と右側に折り曲げられた前記各平鋼板の一部が前記雪止め板の平板に密着し、前記雪止め板に固定される、
ことを特徴とする請求項１ないし３のいずれか１項に記載の勾配屋根用雪止め装置。
【発明の詳細な説明】
【技術分野】
【０００１】
本発明は、勾配屋根上の積雪の落雪を防ぐとともに、太陽熱を集熱して積雪を融かす勾配屋根用雪止め装置に関する。
【背景技術】
【０００２】
特許文献１は、軒先または壁面に設けた金属板と勾配屋根上の雪止め装置とで太陽熱を集熱し、勾配屋根上の積雪を融かす屋根融雪装置を開示する。
また、特許文献２は、太陽熱と電熱を併用して勾配屋根上の積雪を融かす屋根融雪装置で用いられる縦葺き屋根用の雪止め装置を開示する。
【先行技術文献】
【特許文献】
【０００３】
【特許文献１】特開２０１０−２１６２２９号公報
【特許文献２】特許５５１８２４３号公報
【発明の概要】
【発明が解決しようとする課題】
【０００４】
特許文献１に記載の屋根融雪装置は、積雪を堰き止めるとともに太陽熱を集熱して積雪を融かす雪止め板（横連結バー）を備えている。一方、降雪の多い地方は、緯度が高いため、冬に太陽高度が低くなる。例えば、２月１０日の北緯３２度、東経１４１．３度（札幌市）における太陽高度は南中時でも３２°にしかならない。そこで、特許文献１に記載の屋根融雪装置では、雪止め板は、太陽光ができるだけ垂直に近い角度で入射するように傾けて設置される。
特許文献２に記載の雪止め装置も、特許文献１に記載の屋根融雪装置と同様に、太陽熱を集熱して積雪を融かす雪止め板を備える。
【０００５】
ところで、勾配屋根には、２．８°から５１．３°まで様々な傾斜角度のものがある。
【０００６】
本発明の目的は、様々な傾斜角度の勾配屋根において、太陽熱を高い効率で集熱して積雪を融かすことができる勾配屋根用雪止め装置を提供することである。
【課題を解決するための手段】
【０００７】
上記目的を達成するために、本発明の勾配屋根用雪止め装置は、
勾配屋根の上に設置される勾配屋根用雪止め装置であって、
長手方向が前記勾配屋根の傾斜方向と垂直になるように設置される長い平板を含み、当該平板の一方の主面で太陽光を受けるとき、当該太陽光で生じる熱を当該平板の他方の主面に伝えて当該他方の主面に接する積雪を融かす雪止め板と、
前記勾配屋根の表面に沿って接触する勾配屋根接触部と前記雪止め板を支える雪止め板支持部とを備えており、前記勾配屋根の傾斜角度に応じ、前記雪止め板に入射する太陽光の有効強度と積雪を堰き止める程度を示す前記雪止め板の実効高さとに基づいて当該勾配屋根接触部と当該雪止め板支持部とのなす角度が設定された２個以上の取付け金具と、
を備えることを特徴とする。
【０００８】
好ましくは、本発明の勾配屋根用雪止め装置は、
前記取付け金具が、軒先側から前記雪止め板を支えることを特徴とする。
好ましくは、本発明の勾配屋根用雪止め装置は、
前記勾配屋根の傾斜角度が所定の範囲に含まれる場合に前記雪止め板と前記勾配屋根の表面とがなす角度が所定の値となるように、前記取付け金具において前記勾配屋根接触部と前記雪止め板支持部とのなす角度が設定されていることを特徴とする。
【０００９】
好ましくは、本発明の勾配屋根用雪止め装置は、
前記勾配屋根が、横ハゼの一つが立てられた横葺き屋根であり、
前記雪止め板が、前記平板の一方の側部に、前記取付け金具の幅以上の間隔で設けられた２つの切込みの間の部分が折り曲げられた雪止め板ハゼ固定部を備え、
前記取付け金具が、前記勾配屋根接触部と前記雪止め板支持部との間に、前記雪止め板ハゼ固定部に対向して配置され、前記雪止め板ハゼ固定部とともに前記立てられた横ハゼを挟持する取付け金具ハゼ固定部を備え、
前記雪止め板支持部の上部と、前記雪止め板の平板とが固定される、
ことを特徴とする。
【００１０】
好ましくは、本発明の勾配屋根用雪止め装置は、
前記勾配屋根が、折板屋根であり、
前記雪止め板が、前記平板の一方の側部に、前記板折屋根の形状に合致する凹凸を有し、
前記取付け金具の勾配屋根接触部が、前記板折屋根の表面に密着し、前記板折屋根に固定され、
前記取付け金具の雪止め板支持部が、前記雪止め板の平板に密着し、前記雪止め板に固定される、
ことを特徴とする。
【００１１】
好ましくは、本発明の勾配屋根用雪止め装置は、
前記勾配屋根が、縦葺き屋根であり、
前記雪止め板が、前記平板の一方の側部に、前記縦葺き屋根の立てハゼが嵌め込まれる複数の凹部を有し、
前記取付け金具の勾配屋根接触部が、重ねられた２枚の帯状の平鋼板の主要部で構成されており、当該２枚の平鋼板の主要部で前記縦葺き屋根の立てハゼを挟持し、
前記取付け金具の雪止め板支持部が、前記平鋼板の一方の側部に設けられた複数の切込みの中から選択された１つの切込みと前記平鋼板の他方の側部に設けられた複数の切込みの中から選択されたもう１つの切込みとを結ぶ線に沿って前記勾配屋根接触部の左側と右側に折り曲げられた前記各平鋼板の一部によって構成されており、当該左側と右側に折り曲げられた前記各平鋼板の一部が前記雪止め板の平板に密着し、前記雪止め板に固定される、
ことを特徴とする。
【発明の効果】
【００１２】
本発明によれば、様々な傾斜角度の勾配屋根において、雪止め板により太陽熱を高い効率で集熱して積雪を融かすことができる。
【図面の簡単な説明】
【００１３】
【図１】本発明の第１の実施形態に係る勾配屋根用雪止め装置の構成の一例を示す斜視図である。
【図２】図１の部分拡大図である。
【図３】図２のＡ−Ａ線断面図である。
【図４】図２のＢ−Ｂ線断面図である。
【図５】勾配屋根を線図で表した勾配屋根傾斜線図である。
【図６】屋根勾配の傾斜角度を尺貫法勾配と分数勾配と度（°）で示す図である。
【図７】雪止め板への太陽光の入射の様子の一例を示す図である。
【図８】太陽高度ｃが２６°の時の横葺き屋根の傾斜角度ｂ、雪止め板と横葺き屋根の表面のなす角度ａ、雪止め板の実効高さ（ＳＩＮａ）、および太陽光の有効強度（ＳＩＮｄ）の関係を示す図である。
【図９】本発明の第２の実施形態に係る勾配屋根用雪止め装置の構成の一例を示す斜視図である。
【図１０】図９のＣ−Ｃ線断面図である。
【図１１】折板屋根用の雪止め板の構成の一例を示す図である。
【図１２】本発明の第３の実施形態に係る勾配屋根用雪止め装置の構成の一例を示す斜視図である。
【図１３】図１２のＤ−Ｄ線断面図である。
【図１４】図１２の勾配屋根用雪止め装置を軒先側から見た図である。
【図１５】縦葺き屋根用の雪止め板の構成の一例を示す図である。
【図１６】取付け金具を製造するために重ねられた２枚の帯状の平鋼板を示す図である。
【発明を実施するための形態】
【００１４】
以下、本発明の実施形態に係る勾配屋根用雪止め装置について図面を参照しながら詳細に説明する。なお、実施形態を説明する全図において、共通の構成要素には同一の符号を付し、繰り返しの説明を省略する。
【００１５】
図１は、本発明の第１の実施形態に係る勾配屋根用雪止め装置１００の構成の一例を示す斜視図である。図２は、図１の部分拡大図である。図３は、図２のＡ−Ａ線断面図である。図４は、図２のＢ−Ｂ線断面図である。
勾配屋根用雪止め装置１００は、勾配のある横葺き屋根１３０用である。勾配屋根用雪止め装置１００は、雪止め板１１０と、２個以上の取付け金具１２０とを有する。雪止め板１１０は、横葺き屋根１３０の上の横ハゼを立て、その立てられた横ハゼ１３１に２個以上の取付け金具１２０を用いて取り付けられる。
【００１６】
雪止め板１１０は、例えば、鉄等の金属製である。雪止め板１１０の主要部は長い平板であり、補強のため、一方の側部１１３と他方の側部１１４が主要部に対して折り曲げられている。
雪止め板１１０は、横葺き屋根１３０の上に、その長手方向が横葺き屋根１３０の傾斜方向と垂直になるように、言い換えると、その長手方向が軒先と並行になるように、設置される。また、太陽光が雪止め板１１０の表面（一方の主面）１１１に垂直に近い角度で入射するように、幅方向には、横葺き屋根１３０の表面と角度ａをなして傾いて設置される。雪止め板１１０は、その表面１１１で太陽光を受けるとき、太陽光で生じる熱を雪止め板１１０の裏面（他方の主面）１１２に伝えて裏面１１２に接する積雪を融かす。
また、雪止め板１１０は、平板の一方の側部１１３に、雪止め板ハゼ固定部１１５を有する。雪止め板ハゼ固定部１１５は、一方の側部１１３に取付け金具１２０の幅以上の間隔を持って２つの切込み１１６を入れ、それらの間の部分を折り曲げることにより作成される。
【００１７】
取付け金具１２０は、勾配屋根接触部１２１と、取付け金具ハゼ固定部１２２と、雪止め板支持部１２３とを有する。取付け金具１２０は、軒先側から雪止め板１１０を支える。
勾配屋根接触部１２１は、横葺き屋根１３０の表面の屋根板金に沿って接触する。取付け金具１２０が軒先側に配置されているため、雪止め板１１０の裏面１１２に積雪１４０の荷重がかかると、勾配屋根接触部１２１は横葺き屋根の表面の屋根板金に押し付けられて密接する。このため、ボルト等を用いて勾配屋根接触部１２１を横葺き屋根の表面に固定する必要はない。
取付け金具ハゼ固定部１２２は、横ハゼ１３１を挟んで雪止め板ハゼ固定部１１５に対向して配置される。雪止め板ハゼ固定部１１５と取付け金具ハゼ固定部１２２とは、ボルト１２４とナット１２５を用いて横ハゼ１３１上方の２ヶ所で固定され、横ハゼ１３１を挟持する。
雪止め板支持部１２３の上部は、雪止め板１１０の平板とボルト１２６とナット１２７を用いて固定される。
取付け金具１２０は、１枚の金属板等の平板を２ヶ所で折り曲げることにより製造される。勾配屋根接触部１２１と取付け金具ハゼ固定部１２２とは略直角に折り曲げられている。取付け金具ハゼ固定部１２２と雪止め板支持部１２３とは、雪止め板１１０と横葺き屋根１３０とが角度ａをなすように折り曲げられる。
【００１８】
図５は、勾配屋根を線図で表した勾配屋根傾斜線図である。図６は、屋根勾配の傾斜角度を尺貫法勾配と分数勾配と度（°）で示す。勾配屋根には、２．８°から５１．３°まで様々な傾斜角度のものがある。
勾配屋根用雪止め装置１００では、勾配屋根接触部１２１と雪止め板支持部１２３とのなす角度（すなわち、取付け金具ハゼ固定部１２２と雪止め板支持部１２３とのなす角度）を選択することによって、雪止め板１１０と横葺き屋根１３０とのなす角度ａを変更することができる。このため、勾配屋根用雪止め装置１００は、横葺き屋根１３０の傾斜角度に応じて適切な角度ａの取付け金具１２０を選択して雪止め板１１０を横葺き屋根１３０に設置することにより、この広い範囲の傾斜角度の中のいずれの傾斜角度を有する勾配屋根でも太陽熱を高い効率で集熱することができる。
【００１９】
なお、図１に示すように、横葺き屋根１３０は、軒先に鉛直に配置された鉛直面１３２を有する。横葺き屋根１３０の屋根板金は、勾配屋根用雪止め装置１００によってその下側（軒先側）の屋根板金１３３とその上側の屋根板金１３４とに分割される。鉛直面１３２および屋根板金１３３、１３４と、断熱材を含む下地部１３５との間には熱伝導性の良い金属板や熱伝導シートが配置されている。
鉛直面１３２と雪止め板１１０は、太陽熱を収集する。その太陽熱は金属板や熱伝導シートを介して屋根板金１３３と屋根板金１３４に伝えられ、屋根板金１３３と屋根板金１３４の上の積雪を融かす。軒先側の屋根板金１３３は、そこに積もった雪が融けた後に同様に太陽熱を収集し、その太陽熱は屋根板金１３４に伝えられ、屋根板金１３４の上の積雪を融かす。
【００２０】
図７は、雪止め板１１０への太陽光の入射の様子の一例を示す。
雪止め板１１０と横葺き屋根１３０の表面とがなす角度をａ、横葺き屋根１３０の傾斜角度をｂ、太陽高度をｃ、太陽光の雪止め板１１０の表面１１１への入射角度をｄとする。このとき、太陽光の強度をｆとすると、雪止め板１１０の表面１１１はｆ×ＳＩＮｄの有効強度で太陽光を受ける。また、雪止め板１１０の幅をｈとすると、雪止め板の実効高さはｈ×ＳＩＮａとなる。
太陽の南中高度が低いとき、雪止め板１１０の表面１１１で太陽光を垂直に受けようとすると、横葺き屋根１３０の傾斜角度ｂが大きい場合、雪止め板１１０と横葺き屋根１３０の表面とがなす角度ａが小さくなり、雪止め板１１０の実効高さｈ×ＳＩＮａが減少する。このため、雪止め板１１０の表面１１１で太陽光を少し斜めに受けることにはなるが、雪止め板１１０の実効高さｈ×ＳＩＮａが極端に小さくならない範囲で雪止め板１１０と横葺き屋根１３０の表面とがなす角度ａを選択する必要がある。
【００２１】
図８は、太陽高度ｃが２６°の時の横葺き屋根１３０の傾斜角度ｂ、雪止め板１１０と横葺き屋根１３０の表面とがなす角度ａ、雪止め板１１０の実効高さ（ＳＩＮａ）、および太陽光の有効強度（ＳＩＮｄ）の関係を示す。
横葺き屋根１３０の傾斜角度ｂ＝２．８°〜１９．２°のとき、雪止め板１１０と横葺き屋根１３０の表面とがなす角度ａ＝５５°とすると、雪止め板１１０の実効高さ（ＳＩＮａ）＝０．８２、太陽光の有効強度（ＳＩＮｄ）＝０．９９〜０．９８となる。
また、横葺き屋根１３０の傾斜角度ｂ＝２１．８°〜３４．９°のとき、雪止め板１１０と横葺き屋根１３０の表面とがなす角度ａ＝５０°とすると、雪止め板１１０の実効高さ（ＳＩＮａ）＝０．７７、太陽光の有効強度（ＳＩＮｄ）＝０．９９〜０．９３となる。
また、横葺き屋根１３０の傾斜角度ｂ＝３６．８°〜５１．３°のとき、雪止め板１１０と横葺き屋根１３０の表面とがなす角度ａ＝４５°とすると、雪止め板１１０の実効高さ（ＳＩＮａ）＝０．７１、太陽光の有効強度（ＳＩＮｄ）＝０．９５〜０．８４となる。
従って、例えば、雪止め板１１０と横葺き屋根１３０の表面とがなす角度ａをそれぞれ５５°、５０°、４５°に設定できる３種類の取付け金具１２０を用意し、それらの中から傾斜角度ｂに応じて選択することにより、様々な傾斜角度ｂの横葺き屋根１３０において、勾配屋根用雪止め装置１００によって太陽熱を高い効率で集熱して積雪を融かすことができる。
【００２２】
図９は、本発明の第２の実施形態に係る勾配屋根用雪止め装置２００の構成の一例を示す。図１０は、図９のＣ−Ｃ線断面図である。
勾配屋根用雪止め装置２００は、勾配のある板折屋根２３０用である。板折屋根２３０は金属製である。勾配屋根用雪止め装置２００は、雪止め板２１０と、２個以上の取付け金具２２０とを有する。取付け金具２２０は、板折屋根２３０の山部２３１に２個以上取り付けられる。雪止め板２１０は、それらの取付け金具２２０によって板折屋根２３０に取り付けられる。
【００２３】
雪止め板２１０は、例えば、鉄等の金属製である。図１１に示すように、雪止め板２１０の主要部は長い平板であり、補強のため、一方の側部２１３と他方の側部２１４が主要部に対して折り曲げられている。
雪止め板２１０は、平板の一方の側部２１３に、板折屋根２３０の形状に合致する凹凸を有する。雪止め板２１０は、板折屋根２３０の上に、その長手方向が板折屋根２３０の傾斜方向と垂直になるように、言い換えると、その長手方向が軒先と並行になるように、設置される。
また、太陽光が雪止め板２１０の表面（一方の主面）２１１に垂直に近い角度で入射するように、幅方向には、板折屋根２３０の表面と角度ａをなして傾いて設置される。雪止め板２１０は、その表面２１１で太陽光を受けるとき、太陽光で生じる熱を雪止め板２１０の裏面（他方の主面）２１２に伝えて裏面２１２に接する積雪１４０を融かす。
【００２４】
取付け金具２２０は、勾配屋根接触部２２１と、雪止め板支持部２２２とを有する。取付け金具２２０は、軒先側から雪止め板２１０を支える。
勾配屋根接触部２２１は、板折屋根２３０の表面に密着する。勾配屋根接触部２２１と板折屋根２３０とは、ボルト２２３とナット２２４を用いて固定される。取付け金具２２０が軒先側に配置されているため、雪止め板２１０の裏面２１２に積雪１４０の荷重がかかると、勾配屋根接触部２２１は板折屋根２３０の表面に押し付けられる。
雪止め板支持部２２２は、雪止め板２１０の平板に密着し、ボルト２２５とナット２２６を用いて雪止め板２１０に固定される。
取付け金具２２０は、１枚の金属板等の平板を１ヶ所で折り曲げることにより製造される。勾配屋根接触部２２１と雪止め板支持部２２２とは、雪止め板２１０と板折屋根２３０とが角度ａをなすように折り曲げられる。
【００２５】
勾配屋根用雪止め装置２００では、勾配屋根接触部２２１と雪止め板支持部２２２とのなす角度を選択することによって、雪止め板２１０と板折屋根２３０とのなす角度ａを変更して雪止め板２１０を板折屋根２３０に設置することができる。このため、勾配屋根用雪止め装置２００は、板折屋根２３０の傾斜角度に応じて適切な角度ａの取付け金具２２０を選択することにより、様々な傾斜角度を有する板折屋根２３０で太陽熱を高い効率で集熱することができる。
【００２６】
なお、図９に示すように、板折屋根２３０の表面は、勾配屋根用雪止め装置２００によってその下側（軒先側）の表面２３２とその上側の表面２３３とに分割される。
雪止め板２１０は、太陽熱を収集する。その太陽熱は下側の表面２３２と上側の表面２３３の上の積雪を融かす。下側の表面２３２は、そこに積もった雪が融けた後に同様に太陽熱を収集し、その太陽熱は上側の表面２３３に伝えられ、その上の積雪を融かす。
【００２７】
図１２は、本発明の第３の実施形態に係る勾配屋根用雪止め装置３００の構成の一例を示す。図１３は、図１２のＤ−Ｄ線断面図である。図１４は、図１２の勾配屋根用雪止め装置３００を軒先側から見た図である。
勾配屋根用雪止め装置３００は、勾配のある縦葺き屋根３３０用である。勾配屋根用雪止め装置３００は、雪止め板３１０と、２個以上の取付け金具３２０とを有する。取付け金具３２０は、縦葺き屋根３３０の立てハゼ３３１に取り付けられる。雪止め板３１０は、取付け金具３２０によって縦葺き屋根３３０に取り付けられる。
【００２８】
雪止め板３１０は、例えば、鉄等の金属製である。図１５に示すように、雪止め板３１０の主要部は長い平板であり、補強のため、一方の側部３１３と他方の側部３１４が主要部に対して折り曲げられている。
雪止め板３１０は、平板の一方の側部３１３に、縦葺き屋根３３０の立てハゼ３３１の形状に合致する複数の凹部３１５を有する。凹部３１５には立てハゼ３３１が嵌め込まれる。雪止め板３１０は、縦葺き屋根３３０の上に、その長手方向が縦葺き屋根３３０の傾斜方向と垂直になるように、言い換えると、その長手方向が軒先と並行になるように、設置される。
また、太陽光が雪止め板３１０の表面（一方の主面）３１１に垂直に近い角度で入射するように、幅方向には、縦葺き屋根３３０の表面と角度ａをなして傾いて設置される。雪止め板３１０は、その表面３１１で太陽光を受けるとき、太陽光で生じる熱を雪止め板３１０の裏面（他方の主面）３１２に伝えて裏面３１２に接する積雪１４０を融かす。
【００２９】
取付け金具３２０は、勾配屋根接触部３２１と、雪止め板支持部３２２とを有する。取付け金具３２０は、軒先側から雪止め板３１０を支える。
取付け金具３２０を製造するときは、図１６に示すように、まず、２枚の帯状の平鋼板を重ねて所定の長さに切断し、所定の数のボルト穴を開ける。平鋼板は、例えば鉄でできている。次に、帯状の平鋼板の上側の側部（一方の側部）の所定の位置に切込み３２３Ａと切込み３２３Ｂを設け、下側の側部（他方の側部）の所定の位置に切込み３２３Ｃと切込み３２３Ｄを設ける。最後に、上側の切込みと下側の切込みをそれぞれ１づつ選択して、選択された上側の切込みと下側の切込みとを結ぶ線に沿って勾配屋根接触部３２１の左側と右側にそれぞれ雪止め板支持部３２２を折り曲げる。このとき、２枚の平鋼板の主要部が勾配屋根接触部３２１を構成し、左側と右側に折り曲げられた各平鋼板の一部が雪止め板支持部３２２を構成する。
例えば、切込み３２３Ａと切込み３２３Ｄを選択して折り曲げると、勾配屋根接触部３２１と雪止め板支持部３２２とのなす角度が４５°である取付け金具３２０となる。また、例えば、切込み３２３Ｂと切込み３２３Ｄを選択して折り曲げると、勾配屋根接触部３２１と雪止め板支持部３２２とのなす角度が５０°である取付け金具３２０となる。更に、例えば、切込み３２３Ｂと切込み３２３Ｃを選択して折り曲げると、勾配屋根接触部３２１と雪止め板支持部３２２とのなす角度が５５°である取付け金具３２０となる。
【００３０】
勾配屋根接触部３２１は、ボルト３２４とナット３２５により締め付けられ、立てハゼ３３１を挟持する。取付け金具３２０が軒先側に配置されているため、雪止め板３１０の裏面３１２に積雪１４０の荷重がかかると、勾配屋根接触部３２１は縦葺き屋根３３０に押し付けられる。
勾配屋根接触部３２１の左側と右側にそれぞれ折り曲げられた２つの雪止め板支持部３２２は、雪止め板３１０の平板に密着し、ボルト３２６とナット３２７を用いて雪止め板３１０に固定される。
【００３１】
勾配屋根用雪止め装置３００では、勾配屋根接触部３２１と雪止め板支持部３２２とのなす角度を、例えば、４５°、５０°、５５°から選択することによって、雪止め板３１０と縦葺き屋根３３０とのなす角度ａを変更して雪止め板３１０を縦葺き屋根３３０に設置することができる。このため、勾配屋根用雪止め装置３００は、縦葺き屋根３３０の傾斜角度に応じて、例えば、４５°、５０°、５５°の中から適切な角度ａの取付け金具３２０を選択することにより、様々な傾斜角度を有する縦葺き屋根３３０で太陽熱を高い効率で集熱することができる。
【００３２】
なお、図１２に示すように、縦葺き屋根３３０は、軒先に鉛直に配置された鉛直面１３２を有する。縦葺き屋根３３０の屋根板金は、勾配屋根用雪止め装置３００によってその下側（軒先側）の屋根板金３３２とその上側の屋根板金３３３とに分割される。鉛直面１３２および屋根板金３３２、３３３と、断熱材を含む下地部１３５との間には熱伝導性の良い金属板３３４が配置されている。また、上側の屋根板金３３３の下の下地部１３５に、凹に窪んだ収納部３３５がある。収納部３３５には、面状発熱体３３６が金属板３３４に沿って収納されている。
鉛直面１３２と雪止め板３１０は、太陽熱を収集する。その太陽熱は金属板３３４を介して屋根板金３３２と屋根板金３３３に伝えられ、屋根板金３３２と屋根板金３３３の上の積雪を融かす。軒先側の屋根板金３３２は、そこに積もった雪が融けた後に同様に太陽熱を収集し、その太陽熱は屋根板金３３３に伝えられ、屋根板金３３３の上の積雪を融かす。更に、面状発熱体１１５は、電源をオンにして通電されると、屋根板金３３３の上で広い範囲の積雪を溶かす。
【００３３】
以上説明したように、本発明によれば、様々な傾斜角度の勾配屋根において、雪止め板により太陽熱を高い効率で集熱して積雪を融かすことができる。
【００３４】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれる。
【符号の説明】
【００３５】
１００…勾配屋根用雪止め装置、１１０…雪止め板、１１１…雪止め板の表面、１１２…雪止め板の裏面、１１３…一方の側部、１１４…他方の側部、１１５…雪止め板ハゼ固定部、１１６…雪止め板の切込み、１２０…取付け金具、１２１…勾配屋根接触部、１２２…取付け金具ハゼ固定部、１２３…雪止め板支持部、１２４、１２６…ボルト、１２５、１２７…ナット、１３０…横葺き屋根、１３１…横ハゼ、１３２…鉛直面、１３３…下側の屋根板金、１３４…上側の屋根板金、１３５…下地部、１４０…積雪、２００…勾配屋根用雪止め装置、２１０…雪止め板、２１１…雪止め板の表面、２１２…雪止め板の裏面、２１３…一方の側部、２１４…他方の側部、２２０…取付け金具、２２１…勾配屋根接触部、２２２…雪止め板支持部、２２３、２２５…ボルト、２２４、２２６…ナット、２３０…板折屋根、２３１…板折屋根の山部、２３２…下側の表面、２３３…上側の表面、３００…勾配屋根用雪止め装置、３１０…雪止め板、３１１…雪止め板の表面、３１２…雪止め板の裏面、３１３…一方の側部、３１４…他方の側部、３１５…凹部、３２０…取付け金具、３２１…勾配屋根接触部、３２２…雪止め板支持部、３２３Ａ、３２３Ｂ、３２３Ｃ、３２３Ｄ…切込み、３２４、３２６…ボルト、３２５、３２７…ナット、３３０…縦葺き屋根、３３１…立てハゼ、３３２…下側の屋根板金、３３３…上側の屋根板金、３３４…金属板、３３５…収納部、３３６…面状発熱体
【要約】      （修正有）【課題】様々な傾斜角度の勾配屋根において、雪止め板により太陽熱を高い効率で集熱して積雪を融かす雪止め装置を提供する。【解決手段】勾配屋根用雪止め装置１００は、横葺き屋根１３０上に設置される。勾配屋根用雪止め装置１００は、雪止め板１１０と複数の取付け金具１２０で構成される。雪止め板１１０は、長手方向が横葺き屋根１３０の傾斜方向と垂直になるように設置される長い平板を含む。雪止め板１１０は、雪止め板１１０の表面１１１で太陽光を受けるとき、太陽光で生じる熱を雪止め板１１０の裏面に伝えて雪止め板１１０の裏面に接する積雪を融かす。取付け金具１２０は、横葺き屋根１３０の表面に沿って接触する勾配屋根接触部１２１と雪止め板１１０を支える雪止め板支持部１２３とを備えている。勾配屋根接触部１２１と雪止め板支持部１２３とのなす角度を選択することによって、雪止め板１１０と横葺き屋根１３０とのなす角度を変更できる。【選択図】図１【図１】
0005690439.tif 000002
【図２】
0005690439.tif 000003
【図３】
0005690439.tif 000004
【図４】
0005690439.tif 000005
【図５】
0005690439.tif 000006
【図６】
0005690439.tif 000007
【図７】
0005690439.tif 000008
【図８】
0005690439.tif 000009
【図９】
0005690439.tif 000010
【図１０】
0005690439.tif 000011
【図１１】
0005690439.tif 000012
【図１２】
0005690439.tif 000013
【図１３】
0005690439.tif 000014
【図１４】
0005690439.tif 000015
【図１５】
0005690439.tif 000016
【図１６】
0005690439.tif 000017